(57)【特許請求の範囲】
【請求項１】
原稿台に静置した原稿を読み取った画像信号たる光束を、原稿走査方向に走査するミラー台に備えられたミラー対によって光路方向を変換した後、画像形成部位に送るミラースキャンモードと、走行する原稿を読み取った画像信号たる光束を、前記光路とは別の光路に沿って画像形成部位に送る流し取りモードとを具備する画像形成装置において、
前記ミラー台が原稿を走査する位置の近傍に回動自在に設けられた、前記流し取りモード時の位置及びミラースキャンモード時の位置のいずれかの位置に選択的に位置する保持部材を備え、
前記ミラー対は、
前記ミラー台に固定された軸の回りに自在に回動するように支持されたものであり、且つ、
前記ミラー台上でミラースキャンモード位置または流し取りモード位置に選択的に保持されるものであって、
前記保持部材が前記流し取りモード時の位置に位置するときに、前記ミラー台が走査することにより前記保持部材に当接して前記流し取りモードの光路上から退避するものであることを特徴とする画像形成装置。
【発明の詳細な説明】
【０００１】
【発明の目的】
【産業上の利用分野】
この発明は、静電複写機、同プリンタ等の画像形成装置に関するものである。
【０００２】
【従来技術と解決すべき課題】
原稿を適宜の光源によって走査して得られた画像信号を画像形成部位に送って画像を得るように構成した周知の画像形成装置においては、原稿台に載置した原稿を停止しておき、走行する光源によって該原稿面を順次走査して画像信号を得る方式（ミラースキャンモード）と、原稿台上の原稿を、例えば原稿自動給送装置を用いて走行させて固定配置の光源によって原稿を走査する方式（流し取りモード）とを備えたものがあることは良く知られているとおりである。
【０００３】
このような画像形成装置によれば、単一の記録紙で時々コピーを取るような場合には上記前者モードを使用すればよいが、とくに多数の連続原稿のコピーを取るような場合には前記後者モードを利用することによって作業性を大幅に向上させることができる。
【０００４】
以下、上記両モードによる原稿面の走査態様を「図７」乃至「図９」によって略述する。「図７」は前記ミラースキャンモードの場合を示すもので、画像形成装置本体頂部に載置した原稿を、その下方に配置されて原稿に沿って走行する第１ミラー台２に配設された光源Ｌによって照射し、その反射光たる画像信号をミラー１で受け、次いでその反射光を第１ミラー台と所定関係をもって走行する第２ミラー台５に載置されたミラー３、４によって受けた後、これを画像形成部位に送給するものとする。その後の画像形成工程については、本発明に直接関係がないので省略する。
【０００５】
「図８」は流し取りモードの場合であって、装置本体頂部に載置された原稿給送装置ＤＦから原稿載置位置に搬送された原稿が本体頂部のガラス板に沿って走行し、光源Ｌによって原稿を照射したその反射光が固定配置のミラー１１を経て画像形成部位に送られるものとする。
【０００６】
以上説明したように、ミラースキャンモードの場合と、流し取りモードの場合では画像信号たる光束を画像形成部位に送給する態様が異なるので、光路中に配置されたミラーの位置、数も異なり、これらミラーを画像形成モードによってその都度切り替える必要がある。
【０００７】
「図９」は画像形成モードによってミラーの位置を変える態様を略示するもので、各ミラーには前記「図７」、「図８」に示したものと対応するミラーには同様の符号を付して示してある。
【０００８】
図の実線は流し取りモードの場合を示しており、このときミラースキャンモードの際に使用するミラー１、３、４は使用しないので、これらミラーは原稿走査方向にみて外側に、図示点線位置から実線位置に移動退避せしめられている。ミラースキャンモードの場合にはミラー１１が点線位置に退避することになる。
【０００９】
このような構成にあっては、ミラースキャンモードに使用するミラー３、４等が、流し取りモード時の光路を遮蔽しないようにするためには、該ミラーを含む第２ミラー台、さらには第２ミラー台と各連結している光源Ｌを含む第１ミラー台まで、流し取り用ミラー１１の光路外に退避させる必要があるので、前記「図９」のように装置左側の排紙側に大きい余分な退避スペースが必要となり、装置の大型化、コストアップを免れなかった。
【００１０】
本発明はこのような事態に対処すべくなされたものであって、流し取りモードのときには、ミラースキャンモード時における光源、ミラー１、３、４（「図７」参照）等を作動時の原稿走査位置に持ち来すとともに、これを回動して流し取り時の光路形成に支障がないようにして画像形成装置全体の幅の拡大を回避できるような画像形成装置を提供することを目的とするものである。
【００１１】
【発明の構成】
【課題を解決する技術手段、その作用】
上記の目的を達成するため、本発明は、原稿台に静置した原稿を読み取った画像信号たる光束を、ミラー対によって光路方向を変換した後、画像形成部位に送るミラースキャンモードと、走行する原稿を読み取った画像信号たる光束を、前記光路とは別の光路に沿って画像形成部位に送る流し取りモードとを具備する画像形成装置において、流し取りモードの光路上にあるミラースキャンモード用手段を前記光路上より退避する手段を具備することを特徴とする画像形成装置（１）、または、
上記（１）のものにおいて、前記退避手段は、前記ミラー対が原稿走査方向に直角な軸線回りに回動自在に支持されているとともに、該ミラー対にミラースキャンモード位置と流し取りモード位置とを選択的に取らせる保持手段であることを特徴とする画像形成装置（２）、または、
上記（１）または（２）のいずれかのものにおいて、保持手段が、ミラー対の走査方向への移動の際にこれに係脱する保持部材であることを特徴とする画像形成装置（３）である。
【００１２】
このように構成することによって、ミラースキャンモードと、流し取りモードとを選択使用できる画像形成装置において、簡単な構成で両モードの切替を可能とするとともに、切替のための余分なスペースを必要とせず装置の大型化、コストアップを回避できる。
【００１３】
【実施例の説明】
「図１」は、ミラースキャンモードとして、前記「図７」に示したミラー１、３、４を具備する画像形成装置の、ミラー３、４をそなえた第２ミラー台５に相当する部分のみを示す斜視図、「図２」はその側面図である。
【００１４】
第２ミラー台５には走査走行方向に直交する方向に軸７が配設してある。該軸７には板状の支持部材が回動自在に配設してあり、これにミラー３及びミラー４が配設してあってミラー対６を形成している。
【００１５】
前記ミラー対６は前記軸７に回動自在であるとともに、これに当接するばね１０によって常時「図２」でみて時計方向に偏倚されている。「図２」にみるように、ミラー台５適所には、ゴム等の緩衝部材８を取着したストッパ９が配設してあって、時計方向に回動習性をもった前記ミラー対６をこれによって位置決めして、ミラースキャンモード時に画像信号たる光束を所定方向に投射しているものとする。
【００１６】
「図３」、「図４」の符号１３はミラー３、４等を具備する第２ミラー台５が原稿走査時に走行するための一対のガイドレールで、「図４」からわかるように各レールの下方にはミラー対の退避のための手段が配設してあり、その位置は、前記ミラー台のホームポジションよりも原稿走査側にあるものとする。
【００１７】
「図３」にはその一方が示してあり、図示のように、レール側の支持部に回動自在に設けた軸１４に保持部材１２が取着してあり、前記軸１４に接続したモータ１５によって前記保持部材１２は、図示実線位置と点線位置との間を回動するようになっている。後述するが、前記保持部材１２は、ミラースキャンモード時には点線位置を、流し取りモード時には実線位置をとるものとする。
【００１８】
次に本装置の作動について説明する。ミラー対６が「図２」の実線位置にあってミラースキャンモードとなっているとすると、この時前記保持部材１２は「図３」の点線位置にある。
【００１９】
流し取りモードの指令によって、ミラー台５はホームポジションからの走査方向に移動して前記保持部材１２を越えた時点で、モータ１５が駆動して保持部材１２は「図３」の実線位置をとる。この時の状態を「図５」（ａ）に模式的に示してある。
【００２０】
次いでミラー台５が一旦停止し、反対方向に移動すると、ミラー対６が保持部材１２に当接し、ばね１０の作用に抗して、「図５」（ｂ）に示すように、ミラー対６を反時計方向に回動させる。
【００２１】
さらにミラー対６はミラー台５が移動するにつれて「図５」（ｃ）に示すようにほぼ９０度回動し、この位置でミラー台５を停止させる。ミラー対６は保持部材１２に支持されており、その後流し取り用のミラーを立ち上げて流し取りモードが完成する。前述のように、ミラー対６は流し取り用ミラーよりも上方に配設してあるから、「図６」からわかるように、ミラー対６がその下方にある流し取り用の光路を遮蔽することはない。
【００２２】
本実施例では、ミラー対６の回動に保持部材１２を使用したが、回動手段はこれに限定されるものではなく、例えば、ミラー台５に配置したモータによってミラー対６を回動するなど、別の構成によって本発明の目的を達成出来ることは容易に理解出来るところであろう。
【００２３】
【発明の効果】
以上説明したように、本発明によれば、ミラースキャンモードと流し取りモードを具有する画像形成装置において、ミラースキャンモードに使用するミラー手段を、流し取りモード時には、該モードの光路を遮断しないようにしたから、ミラースキャンモード用のミラー手段を流し取りモード用ミラーの光路上に配置できるので、画像形成装置全体の構成の小型化が可能となり、コストダウンにも資する。
【図面の簡単な説明】
【図１】  本発明の実施例たるミラースキャンモード用のミラー対の要部の斜視図
【図２】  同上側面図
【図３】  ミラースキャンモード用のミラー対の保持部材の構成を示す要部の斜視図
【図４】  ミラースキャン用のミラー対と保持部材との関係構成を示す要部の斜視図
【図５】  ミラー対と保持部材との作動関係を示す説明図
【図６】  流し取りモードとなったときのミラースキャンモード用部材の位置関係を示す画像形成装置の側面図
【図７】  ミラースキャンモードで画像形成を行う公知装置の概略側断面図
【図８】  流し取りモードで画像形成を行う公知装置の概略側断面図
【図９】  ミラースキャンモード時と流し取りモード時における公知装置のミラーの位置関係を示す側面図
【符号の説明】
１、３、４      ミラー
２              第１ミラー台
５              第２ミラー台
６              ミラー対
７              軸
８              緩衝部材
９              ストッパ
１０            ばね
１１            流し取りモード用ミラー
１２            保持部材
１３            ガイドレール
１４            軸
１５            モータ
【図１】
0003685464.tif 000002
【図２】
0003685464.tif 000003
【図３】
0003685464.tif 000004
【図４】
0003685464.tif 000005
【図５】
0003685464.tif 000006
【図６】
0003685464.tif 000007
【図７】
0003685464.tif 000008
【図８】
0003685464.tif 000009
【図９】
0003685464.tif 000010